(57)【要約】【課題】収容物品が外部に出にくく、かつ、袋体を押圧した際における内部の空気の排出効率がより高い袋体を提供する。【解決手段】本発明に係る袋体は、開口部が設けられる袋体本体部と、前記開口部の一部を接合する複数の接合部と、を備える。前記接合部は、前記開口部の開口方向に斜めに交差する方向に延び、前記複数の接合部は、前記開口方向に直交する方向に沿って並んで配置される。これによれば、収容物品が外部に出にくく、かつ、内部の空気の排出効率が高い袋体が提供される。【選択図】図２
2020152432.tif 000002
【特許請求の範囲】
【請求項１】
開口部が設けられる袋体本体部と、
前記開口部の一部を接合する複数の接合部と、を備え、
前記接合部は、前記開口部の開口方向に斜めに交差する方向に延びている、
袋体。
【請求項２】
前記複数の接合部のうちの隣接する接合部同士の最短距離は、前記袋体本体部の内部に収容される収容物品の外形の大きさよりも小さい、
請求項１に記載の袋体。
【請求項３】
前記接合部は、直線状に延び、
前記複数の接合部は、互いに平行に配置される、
請求項１又は２に記載の袋体。
【請求項４】
前記複数の接合部は、
それぞれの前記接合部が、前記開口方向に直交する方向に配置されて並列部を構成し、当該並列部が前記開口方向に沿って複数配置され、かつ、前記開口方向に隣接する前記並列部同士における前記接合部は、前記開口方向に対して互いに異なる方向に延びている、
請求項１から３のいずれか１項に記載の袋体。
【請求項５】
前記袋体本体部は、熱可塑性樹脂で形成され、
前記接合部は、前記袋体本体部における前記開口部の一部を接合する熱溶着部である、
請求項１から４のいずれか１項に記載の袋体。
【発明の詳細な説明】
【技術分野】
【０００１】
本発明は、袋体に関する。
【背景技術】
【０００２】
内部に物品を収容し、開口部に空気抜き構造を設けた袋体が知られている（例えば、特許文献１参照）。この袋体は、矩形状の第１シートと第２シートとを互いの３辺同士を接合し、他の１辺を開口部としている。
【先行技術文献】
【特許文献】
【０００３】
【特許文献１】実開昭５８−５５０４５号公報
【発明の概要】
【発明が解決しようとする課題】
【０００４】
特許文献１の開口部における空気抜き構造は、周縁部に沿って延びるシール線と、当該シール線が設けられない空気通路とを含み、空気通路から外部に空気が抜ける構造である。ところが、空気通路が１箇所しかないため、袋体を押圧した際に袋体内部の空気を更に効率的に排出することが望まれている。
【０００５】
本発明は、上記に鑑みてなされたものであって、収容物品が外部に出にくく、かつ、袋体を押圧した際における内部からの空気の排出効率がより高い袋体を提供することを目的とする。
【課題を解決するための手段】
【０００６】
上述した課題を解決し、目的を達成するために、本発明に係る袋体は、開口部が設けられる袋体本体部と、前記開口部の一部を封止する複数の接合部と、を備え、前記複数の接合部におけるそれぞれの接合部は、前記開口部の開口方向に斜めに交差する方向に延び、かつ、前記開口方向に直交する方向に沿って並んで配置される。
【発明の効果】
【０００７】
本発明によれば、収容物品が外部に出にくく、かつ、袋体を押圧した際に内部の空気の排出効率が高い袋体が提供される。
【図面の簡単な説明】
【０００８】
【図１】図１は、第１実施形態に係る袋体本体部を示す斜視図である。
【図２】図２は、第１実施形態に係る袋体を正面から見た模式図である。
【図３】図３は、図２の接合部の一部を拡大した模式図である。
【図４】図４は、第２実施形態に係る袋体を正面から見た模式図である。
【図５】図５は、図４の接合部の一部を拡大した模式図である。
【図６】図６は、第３実施形態に係る袋体を正面から見た模式図である。
【図７】図７は、図６の接合部の一部を拡大した模式図である。
【発明を実施するための形態】
【０００９】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。
【００１０】
なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１１】
[第１実施形態]
まず、第１実施形態に係る袋体について説明する。図１は、第１実施形態に係る袋体本体部を示す斜視図である。
【００１２】
袋体本体部１１は、第１シート２０と、第２シート２１と、を有する。第１シート２０及び第２シート２１は、それぞれ正面から見て矩形状の形状を有する。第１シート２０及び第２シート２１の材質は、例えば、熱可塑性樹脂である。第１シート２０及び第２シート２１における第１辺１２、第２辺１３及び第３辺１４は、第１シート２０及び第２シート２１が重なった状態において、周縁部同士が互いに接合されている。接合は、例えば、接着剤を用いた接着、又は、第１シート２０及び第２シート２１の周縁部同士を加熱することによる熱溶着などが適用可能である。第１辺１２と第２辺１３とが交差する部位は第１角部１６である。第１辺１２と第３辺１４とが交差する部位は第２角部１７である。第３辺１４と第４辺１５とが交差する部位は第３角部１８である。第４辺１５と第２辺１３とが交差する部位は第４角部１９である。袋体本体部１１には、第４辺１５に開口部３０が設けられる。図１において、開口部３０が上方（開口方向、第１方向Ｄ１）に向けて開放されている。即ち、開口方向は第１方向Ｄ１となる。なお、開口方向は、前記袋体本体部１１の内部に収容された収容物品を外部に取り出す際の取り出し方向である。
【００１３】
図２は、第１実施形態に係る袋体を正面から見た模式図である。袋体１０は、袋体本体部１１と、複数の接合部４１と、を有する。袋体１０の内部には、長尺状の第１部品１００（収容物品）と、長さが第１部品１００よりも短い第２部品１０１（収容物品）と、が収納されている。第１部品１００と第２部品１０１とは、収容物品の一例である。第１部品１００の外径はｄ１であり、第２部品１０１の外径はｄ２である。また、袋体本体部１１の第４辺１５側（開口部３０側）の周縁部には、複数の接合部４１を含む並列部５０が設けられる。複数の接合部４１によって、第１シート２０と第２シート２１とが接合される。これにより、開口部３０の一部が封止される。なお、本実施形態では、第１シート２０及び第２シート２１の材質が熱可塑性樹脂であるため、接合部４１は熱溶着部である。即ち、第１シート２０と第２シート２１とを圧着した状態で加熱することにより、開口部３０の一部を熱溶着させて熱溶着部が形成される。
【００１４】
図３は、図２の接合部の一部を拡大した模式図である。まず、方向について説明する。袋体１０の開口部３０の開口方向（図２，３の上方）を第１方向Ｄ１とする。第１方向Ｄ１に直交する方向、即ち袋体１０の幅方向（図２，３の左右方向）を第２方向Ｄ２とする。第１方向Ｄ１に斜めに交差する方向を第３方向Ｄ３とする。具体的には、図２，３において、左側に行くに従って上方に向かう斜め方向を第３方向Ｄ３とする。特に第１実施形態では、第１方向Ｄ１と第３方向Ｄ３との交差角をαとし、α＜９０°である。第３方向Ｄ３に直交する方向を第４方向Ｄ４とする。
【００１５】
図３に示すように、接合部４１の一例として、第１接合部４１０、第２接合部４２０及び第３接合部４３０を説明する。第１接合部４１０は、第３方向Ｄ３に沿って延びる。第１接合部４１０は、第３方向Ｄ３の一端部４１１と、第３方向Ｄ３の他端部４１２と、第４方向Ｄ４の一端部４１３と、第４方向Ｄ４の他端部４１４と、を有する。一端部４１１と他端部４１２とは平行に延びる。一端部４１３と他端部４１４とは平行に延びる。一端部４１３及び他端部４１４と一端部４１１とは直交して延びる。一端部４１３及び他端部４１４と他端部４１２とは直交して延びる。即ち、第１接合部４１０は、第３方向Ｄ３に直線状に延びる矩形状の形状を有する。
【００１６】
また、同様に第２接合部４２０は、第３方向Ｄ３に直線状に延びる矩形状の形状を有する。第２接合部４２０は、第３方向Ｄ３の一端部４２１と、第３方向Ｄ３の他端部４２２と、第４方向Ｄ４の一端部４２３と、第４方向Ｄ４の他端部４２４と、を有する。更に同様に第３接合部４３０は、第３方向Ｄ３に直線状に延びる矩形状の形状を有する。第３接合部４３０は、第３方向Ｄ３の一端部４３１と、第３方向Ｄ３の他端部４３２と、第４方向Ｄ４の一端部４３３と、第４方向Ｄ４の他端部４３４と、を有する。第１接合部４１０、第２接合部４２０及び第３接合部４３０は、互いに平行に配置される。なお、図２に示す全ての接合部４１は、互いに平行に配置される。また、第２方向Ｄ２に沿って並ぶ複数の接合部４１は、並列部５０を構成する。
【００１７】
図３に示すように、第１接合部４１０と第２接合部４２０との第４方向Ｄ４に沿った最短距離はＬ１である。最短距離Ｌ１は、第１部品１００の外径ｄ１よりも小さく、かつ、第２部品１０１の外径ｄ２よりも小さい。最短距離Ｌ１は、袋体１０から外部へ空気を排出可能な程度の大きさを有する。なお、第１接合部４１０と第２接合部４２０とは、第１方向Ｄ１においてオーバーラップしている。そのオーバーラップ長Ｌ２は、第１接合部４１０の角部４１５と第２接合部４２０の角部４２５との第２方向Ｄ２に沿った距離である。角部４１５は、第１接合部４１０において図３の状態で最も右側の部位であり、角部４２５は、第２接合部４２０において図３の状態で最も左側の部位である。なお、図２に示す全ての接合部４１について、第２方向Ｄ２に隣接する接合部４１同士の第４方向Ｄ４に沿った最短距離は、全てＬ１である。
【００１８】
ここで、第１部品１００及び第２部品１０１を内部に収容した袋体１０の作成方法および収容方法を簡単に説明する。
【００１９】
まず、第１シート２０と第２シート２１との間に設けられる開口部３０（図１参照）から袋体１０の内部に、第１部品１００と第２部品１０１とを入れる。次に、第１シート２０及び第２シート２１の開口部部分同士を熱溶着する。これにより、開口部３０の一部を熱溶着させて熱溶着部としての複数の接合部４１である並列部５０を形成する。そして、袋体１０を押して、接合部４１同士の間から、袋体１０の内部の空気を外部に排出する。
【００２０】
以上説明した袋体１０において、接合部４１は、開口部３０の開口方向に斜めに交差する方向（第３方向Ｄ３）に延びる。また、複数の接合部４１は、開口方向に直交する方向（第２方向Ｄ２）に沿って並んで配置される。従って、斜め方向に延びる接合部４１同士の間から空気が外部に効率的に排出され、空気の排出が接合部４１によって阻害されにくくすることができる。よって、袋体１０の内部に収容した第１部品１００及び第２部品１０１（収容物品）が接合部４１によって開口部３０から外部に出ることが抑制されると共に、袋体１０を押圧した際に袋体１０の内部の空気が外部に効率的に排出されるという効果を有する。
【００２１】
また、複数の接合部４１のうちの隣接する接合部同士の最短距離Ｌ１は、袋体本体部１１の内部に収容される第１部品１００及び第２部品１０１（収容物品）の外径ｄ１，ｄ２よりも小さい。ここで、第１部品１００の外径ｄ１は、第１部品１００（収容物品）の外形の大きさであり、第２部品１０１の外径ｄ２は、第２部品１０１（収容物品）の外形の大きさである。即ち、本実施形態では、収容物品としてピンやボルト等の長尺部材を例にとったが、本発明の収容物品は長尺部材に限定されない。従って、袋体１０の内部に収容した第１部品１００及び第２部品１０１（収容物品）が接合部４１によって開口部３０から外部に出ることが更に抑制される効果を有する。
【００２２】
さらに、それぞれの接合部４１は、直線状に延び、かつ、互いに平行に配置される。従って、直線以外の形状、例えば曲線状に延びる接合部よりも、容易に接合部を形成することができるため、作業効率の向上を図ることができる。
【００２３】
そして、袋体本体部１１は、熱可塑性樹脂で形成され、接合部４１は、袋体本体部１１における開口部３０の一部を接合する熱溶着部である。従って、例えば、接着剤を用いる接着等の接合手段よりも、接合作業の速度が高くなり、大量生産に適するという効果を有する。
【００２４】
[第２実施形態]
次に、第２実施形態に係る袋体について説明する。図４は、第２実施形態に係る袋体を正面から見た模式図である。図５は、図４の接合部の一部を拡大した模式図である。なお、図４では、第１部品１００及び第２部品１０１を省略している。本実施形態では、第２方向に並ぶ接合部を有する並列部が複数列に配置される形態について説明する。
【００２５】
図４に示すように、袋体１０Ａは、接合部を複数含む並列部５０Ａを有する。並列部５０Ａは、図４の下段に配置された第１並列部５１と、上段に配置された第２並列部５２とを有する。なお、図５に示すように、第４方向Ｄ４は、第１方向Ｄ１に斜めに交差する方向でもある。第１方向Ｄ１と第４方向Ｄ４との交差角をβとし、β＜９０°である。また、α＋β＝９０°である。
【００２６】
まず、下段の第１並列部５１について説明する。図５に示すように、第１並列部５１は、第１接合部４１０Ａ、第２接合部４２０Ａ及び第３接合部４３０Ａを有する。第１接合部４１０Ａは、第４方向Ｄ４に沿って延びる。第１接合部４１０Ａは、第４方向Ｄ４の一端部４１１Ａと、第４方向Ｄ４の他端部４１２Ａと、第３方向Ｄ３の一端部４１３Ａと、第３方向Ｄ３の他端部４１４Ａと、を有する。一端部４１１Ａと他端部４１２Ａとは平行に延びる。一端部４１３Ａと他端部４１４Ａとは平行に延びる。一端部４１３Ａ及び他端部４１４Ａと一端部４１１Ａとは直交して延びる。一端部４１３Ａ及び他端部４１４Ａと他端部４１２Ａとは直交して延びる。即ち、第１接合部４１０Ａは、第４方向Ｄ４に直線状に延びる矩形状の形状を有する。
【００２７】
また、同様に第２接合部４２０Ａは、第４方向Ｄ４に直線状に延びる矩形状の形状を有する。第２接合部４２０Ａは、一端部４２１Ａと、他端部４２２Ａと、一端部４２３Ａと、他端部４２４Ａと、を有する。更に同様に第３接合部４３０Ａは、第４方向Ｄ４に直線状に延びる矩形状の形状を有する。第３接合部４３０Ａは、一端部４３１Ａと、他端部４３２Ａと、一端部４３３Ａと、他端部４３４Ａと、を有する。第１接合部４１０Ａ、第２接合部４２０Ａ及び第３接合部４３０Ａは、互いに平行に配置される。なお、図４に示す全ての接合部４１Ａは、互いに平行に配置される。また、第２方向Ｄ２に沿って並ぶ複数の接合部４１Ａは、第１並列部５１を構成する。
【００２８】
図５に示すように、第１接合部４１０Ａと第２接合部４２０Ａとの第３方向Ｄ３に沿った最短距離はＬ１１である。最短距離Ｌ１１は、第１部品１００の外径ｄ１よりも小さく、かつ、第２部品１０１の外径ｄ２よりも小さい。なお、図４に示す全ての接合部４１Ａについて、第２方向Ｄ２に隣接する接合部４１Ａ同士の第３方向Ｄ３に沿った最短距離は、全てＬ１１である。
【００２９】
次に、上段の第２並列部５２について説明する。第２並列部５２は、第１実施形態で説明した並列部５０と同一であり、第２並列部５２を構成する接合部４１の形状も第１実施形態の接合部４１と同一である。なお、接合部４１Ａ，４１は、前記開口方向に対して互いに反対方向の斜めに交差する。即ち、接合部４１Ａは第４方向Ｄ４に延び、接合部４１は第３方向Ｄ３に延びる。ここで、第１接合部４１０の他端部４１２は、第２方向Ｄ２において、第１接合部４１０Ａの一端部４１１Ａと第２接合部４２０Ａの一端部４２１Ａとの間に配置される。第２接合部４２０の他端部４２２は、第２方向Ｄ２において、第２接合部４２０Ａの一端部４２１Ａと第３接合部４３０Ａの一端部４３１Ａとの間に配置される。このように、第１並列部５１の接合部４１Ａにおける第２並列部５２側の端部と、第２並列部５２の接合部４１における第１並列部５１側の端部とは、第２方向Ｄ２に沿って交互に配置される。
【００３０】
また、最短距離Ｌ１は、第１部品１００の外径ｄ１よりも小さく、かつ、第２部品１０１の外径ｄ２よりも小さい。なお、第２接合部４２０と第３接合部４３０とは、第１方向Ｄ１においてオーバーラップしている。そのオーバーラップ長Ｌ２は、第２接合部４２０の角部４２５と第３接合部４３０の角部４３５との第２方向Ｄ２に沿った距離である。角部４２５は、第２接合部４２０において図５の状態で最も右側の部位であり、角部４３５は、第３接合部４３０において図５の状態で最も左側の部位である。なお、図５に示す全ての接合部４１について、第２方向Ｄ２に隣接する接合部４１同士の第４方向Ｄ４に沿った最短距離は、全てＬ１である。
【００３１】
以上説明した袋体１０Ａにおいて、それぞれの接合部４１Ａ，４１が、開口方向に直交する方向（第２方向）に配置されて第１並列部５１及び第２並列部５２を構成し、第１並列部５１及び第２並列部５２が開口方向に沿って２段（複数）配置され、かつ、前記開口方向に隣接する前記並列部同士における前記接合部４１Ａ，４１は、前記開口方向に対して互いに反対方向の斜めに交差する。
【００３２】
従って、第１部品１００及び第２部品１０１（収容物品）が、第１並列部５１における接合部４１Ａ同士の間から抜け出た場合でも、第２並列部５２の接合部４１によって止められるため、第１部品１００及び第２部品１０１が外部へ抜け出ることを効果的に抑制することができる。なお、第２並列部５２を設けても、空気の排出が接合部４１によって阻害されにくくすることができる。
【００３３】
また、第１並列部５１と第２並列部５２との第１方向Ｄ１に沿った距離（即ち、例えば一端部４１１Ａと他端部４１２との第１方向Ｄ１に沿った距離）は、特に限定されないが、小さい距離の方が袋体１０Ａの容量を大きくすることができるという効果を有する。
【００３４】
[第３実施形態]
次に、第３実施形態に係る袋体について説明する。図６は、第３実施形態に係る袋体を正面から見た模式図である。図７は、図６の接合部の一部を拡大した模式図である。なお、図６では、第１部品１００及び第２部品１０１を省略している。本実施形態では、第２方向に並ぶ接合部を円弧状に形成した形態について説明する。
【００３５】
図６に示すように、袋体１０Ｂは、接合部を複数含む並列部５０Ｂを有する。並列部５０Ｂは、図６の下段に配置された第１並列部５１と、上段に配置された第２並列部５２Ｂとを有する。
【００３６】
まず、下段の第１並列部５１について説明する。図７に示すように、第１並列部５１は、第２実施形態で説明した第１並列部５１と同一であり、第１並列部５１を構成する接合部４１Ａの形状も第１実施形態の接合部４１Ａと同一である。最短距離Ｌ１１は、第１部品１００の外径ｄ１よりも小さく、かつ、第２部品１０１の外径ｄ２よりも小さい。
【００３７】
次に、第２並列部５２Ｂについて説明する。
図７に示すように、接合部４１Ｂの一例として、第１接合部４１０Ｂ、第２接合部４２０Ｂ及び第３接合部４３０Ｂを説明する。第１接合部４１０Ｂは、第３方向Ｄ３に円弧状に延びる。具体的には、第１接合部４１０Ｂは、第４方向Ｄ４に向けて凸となる円弧状の形状を有する。第１接合部４１０Ｂは、第３方向Ｄ３の一端部４１１Ｂと、第３方向Ｄ３の他端部４１２Ｂと、第４方向Ｄ４の一端部４１３Ｂと、第４方向Ｄ４の他端部４１４Ｂと、を有する。一端部４１１Ｂと他端部４１２Ｂとは平行に延びる。一端部４１３Ｂと他端部４１４Ｂは、双方ともに第４方向Ｄ４に向けて凸の円弧状の形状を有する。また、一端部４１３Ｂと他端部４１４Ｂは、同一形状を有するため、第１接合部４１０Ｂの第４方向Ｄ４に沿った幅は均一である。
【００３８】
また、同様に第２接合部４２０Ｂは、第３方向Ｄ３の一端部４２１Ｂと、第３方向Ｄ３の他端部４２２Ｂと、第４方向Ｄ４の一端部４２３Ｂと、第４方向Ｄ４の他端部４２４Ｂと、を有する。更に同様に第３接合部４３０Ｂは、第３方向Ｄ３の一端部４３１Ｂと、第３方向Ｄ３の他端部４３２Ｂと、第４方向Ｄ４の一端部４３３Ｂと、第４方向Ｄ４の他端部４３４Ｂと、を有する。なお、第２接合部４２０Ｂ及び第３接合部４３０Ｂも第１接合部４１０Ｂと同一形状を有する。ここで、第２接合部４２０Ｂの他端部４２２Ｂは、第２方向Ｄ２において、第１接合部４１０Ａの一端部４１１Ａと第２接合部４２０Ａの一端部４２１Ａとの間に配置される。第３接合部４３０Ｂの他端部４３２Ｂは、第２方向Ｄ２において、第２接合部４２０Ａの一端部４２１Ａと第３接合部４３０Ａの一端部４３１Ａとの間に配置される。このように、第１並列部５１の接合部４１Ａにおける第２並列部５２Ｂ側の端部と、第２並列部５２Ｂの接合部４１Ｂにおける第１並列部５１側の端部とは、第２方向Ｄ２に沿って交互に配置される。
【００３９】
さらに、第２並列部５２Ｂにおいて、第１接合部４１０Ｂと第２接合部４２０Ｂとは、第１方向Ｄ１においてオーバーラップしている。そのオーバーラップ長Ｌ２は、第１接合部４１０Ｂの角部４１５Ｂと第２接合部４２０Ｂの角部４２５Ｂとの第２方向Ｄ２に沿った距離である。角部４１５Ｂは、第１接合部４１０Ｂにおいて図７の状態で最も右側の部位であり、角部４２５Ｂは、第２接合部４２０Ｂにおいて図７の状態で最も左側の部位である。
【００４０】
以上説明した袋体１０Ｂにおいて、第２並列部５２Ｂの接合部４１Ｂが第４方向Ｄ４に凸の円弧状の形状を有する。このため、第１部品１００及び第２部品１０１（収容物品）が、第１並列部５１における接合部４１Ａ同士の間から抜け出た場合に、直線状の４１よりも円弧状の接合部４１Ｂの方が、当該収容物品を受け止める効果をより向上することができる。
【００４１】
以上、本発明の実施形態を例示したが、前記実施形態はあくまで一例であって、発明の範囲を限定することは意図していない。前記実施形態は、その他の様々な形態で実施されることが可能であり、発明の要旨を逸脱しない範囲で、種々の省略、置き換え、組み合わせ、変更を行うことができる。前記実施形態は、発明の範囲や要旨に含まれるとともに、特許請求の範囲に記載された発明とその均等の範囲に含まれる。本発明は、前記実施形態に開示される構成以外によっても実現可能であるとともに、基本的な構成（技術的特徴）によって得られる種々の効果（派生的な効果も含む）を得ることが可能である。また、各構成要素のスペック（構造や、種類、方向、形状、大きさ、長さ、幅、厚さ、高さ、数、配置、位置、材質等）は、適宜に変更して実施することができる。
【００４２】
例えば、前述した実施形態において、袋体１０，１０Ａ，１０Ｂは、正面から見て矩形状の形状としてが、本発明はこれに限定されない。また、袋体本体部１１の材質も熱可塑性樹脂に限定されず、例えば、紙などでも適用可能である。さらに、各実施形態において接合部４１，４１Ａ，４１Ｂを熱溶着部としたが、ジッパーなどを第１シート２０及び第２シート２１の開口部部分にそれぞれ設け、各開口部部分同士を固定した後に再度剥がして再利用することができる態様であってもよい。
【符号の説明】
【００４３】
１０，１０Ａ，１０Ｂ  袋体
１１  袋体本体部
３０  開口部
４１，４１Ａ，４１Ｂ  接合部
５０，５０Ａ，５０Ｂ  並列部
１００  第１部品（収容物品）
１０１  第２部品（収容物品）
【図１】
2020152432.tif 000003
【図２】
2020152432.tif 000004
【図３】
2020152432.tif 000005
【図４】
2020152432.tif 000006
【図５】
2020152432.tif 000007
【図６】
2020152432.tif 000008
【図７】
2020152432.tif 000009